(57)【特許請求の範囲】
【請求項１】
版制のある各新聞紙面に掲載する少なくとも記事、画像、写真からなる複数の要素を管理するとともに、前記管理されている各要素をそれぞれ読み出して各紙面上に配置することによって、少なくとも掲載年月日、面名、及び版名を含む紙面データを作成し、前記作成された紙面データを降版し、新聞紙面を制作する新聞紙面の制作システムであって、
前記作成された紙面データのうち、紙面上の各要素の配置が確定した紙面データを確定済紙面データとして指定する指定手段と、
何れかの紙面データの紙面全体またはその一部の配置操作開始指示がなされた場合に、前記配置操作開始指示がなされた紙面データが前記確定済紙面データとして指定されている場合には、この紙面データを前記確定済紙面データとして指定されていない紙面データとして複製し、前記複製された紙面データの掲載年月日、面名、及び版名を別名に変更する複製手段と、
次の版の新聞紙面のために、前記複製手段によって複製された紙面データに対し、紙面全体またはその一部の配置操作を行う操作手段と
を備えたことを特徴とする新聞紙面の制作システム。
【請求項２】
少なくとも記憶装置及び端末を備え、版制のある各新聞紙面を制作する新聞紙面制作システムに適用される新聞紙面の制作方法であって、
前記各新聞紙面に掲載する少なくとも記事、画像、写真からなる複数の要素を記憶装置に格納することと、
前記格納されている各要素を、前記端末が前記記憶装置から読み出して各紙面上に配置することによって、少なくとも掲載年月日、面名、及び版名を含む紙面データを作成することと、
前記端末が、前記作成された紙面データのうち、紙面上の各要素の配置が確定した紙面データを確定済紙面データとして指定し、何れかの紙面データの紙面全体またはその一部の配置操作開始指示がなされた場合に、前記配置操作開始指示がなされた紙面データが前記確定済紙面データとして指定されている場合には、この紙面データを前記確定済紙面データとして指定されていない紙面データとして複製し、前記複製された紙面データの掲載年月日、面名、及び版名を別名に変更し、次の版の新聞紙面のために、前記複製された紙面データに対して紙面全体またはその一部の配置操作を行うことと
を含む新聞紙面の制作方法。
【請求項３】
新聞紙面を制作する処理を制御するコンピュータ読み取り可能なプログラムであって、
版制のある各新聞紙面に掲載する少なくとも記事、画像、写真からなる複数の要素を前記各新聞紙面上に配置するための配置指定入力を受け付け、この配置指定入力に基づいて前記各要素を前記新聞紙面上に配置することによって、少なくとも掲載年月日、面名、及び版名を含む紙面データを作成する紙面作成機能、
前記紙面作成機能において作成された紙面データのうち、紙面上の各要素の配置が確定した紙面データを確定済紙面データとして指定する指定入力を受け付ける指定入力受付機能、
前記紙面作成機能において作成された紙面データのうちの何れかの紙面データの紙面全体またはその一部の配置の変更操作の開始指示の入力を受け付ける開始指示受付機能、
前記開始指示受付機能において開始指示が入力された場合に、前記開始指示された紙面データが前記確定済紙面データとして指定されている場合には、この紙面データを、前記確定済紙面データとして指定されていない紙面データとして複製し、前記複製された紙面データの掲載年月日、面名、及び版名を別名に変更する複製機能、
次の版の新聞紙面のために、前記複製機能において複製された紙面データに対し、紙面全体またはその一部の配置を変更するための配置変更入力を受け付け、この配置変更入力に基づいて紙面全体またはその一部の配置を変更する配置変更機能
をコンピュータに実現させるための新聞紙面の制作用プログラム。
【発明の詳細な説明】
【０００１】
【発明の属する技術分野】
本発明は、新聞紙面の制作システム、その制作方法、およびその制作用プログラムに係り、更に詳しくは、紙面データの作業状況を管理し、この管理結果に基づいて、降版処理を行う場合における操作上の制約を課すことによって、校閲が完了していない紙面データを誤って降版することのないような措置を講じた新聞紙面の制作システム、その制作方法、およびその制作用プログラムに関するものである。
【０００２】
【従来の技術】
新聞紙面の制作工程においては、新聞社により以下に示す２ケースの運用形態に分類される。すなわち、第１のケースは、紙面の制作担当者が紙面の降版指示までを全て実施する運用形態であり、第２のケースは、紙面の制作担当者とは別の製版担当者が降版指示をする運用形態である。この場合、オペレータが異なるだけでなく、オペレータの所属する組織もまた異なる場合が多い。
【０００３】
第１のケースの場合、紙面の制作担当者と降版指示者とが同一人物であるために、トラブルが発生する可能性は極めて低い。第２のケースの場合であっても、降版指示者は、紙面の校閲完了を確認してから降版指示をするので、紙面の校閲完了状態を見落として降版してしまうようなトラブルは通常では皆無である。
【０００４】
【発明が解決しようとする課題】
しかしながら、このような従来の新聞紙面の制作方法では、以下のような問題がある。
【０００５】
すなわち、上述した第２のケースの場合には、紙面の制作担当者と降版指示者とが別の要員であるために以下の（１）から（５）に示すようなトラブルが発生する可能性がある。
【０００６】
（１）重大事件が発生し、状況が刻々と変化している状況で、締切り間際に一旦校閲完了となった後に、記事内容の大幅変更が発生した場合には校閲完了した紙面の当該記事の緊急差替を行う。このような場合には電話などで関係者が連絡を取りながら対応作業をするが、記事の差替え前または差替え中の紙面を誤って降版指示するトラブルが発生する恐れがあるという問題がある。
【０００７】
（２）校閲完了した紙面は、以後、内容を修正してはならないのが運用上のルールであるが、版制のある紙面（例えば９版、１０版、１１版、１２版など）では最初に作成した版をベースにして紙面の内容を最新情報に置き換えて作成していく。このような場合にはそれぞれの版の降版が完了してから次の版の作成作業に取り掛かる。しかし、重大事件が発生した場合などでは、前の版の降版時刻をぎりぎりまで遅らせる場合には、当該版の降版が終わらないうちに次の版の紙面作成を開始することになる。紙面制作担当者が前の版の紙面を使って作業を始めた場合、前の版の降版が終わってから紙面データをサーバに保存すればトラブルにはならないが、降版前に保存した場合には前の版の校閲完了の紙面データと異なる紙面が降版されトラブルとなる。こうしたトラブルが起こらないように作業時間割に沿って紙面制作担当者は作業をしているが、製版担当者側の事情で降版指示のタイミングが予定より遅れた場合にはトラブルを回避できなくなるという問題がある。
【０００８】
（３）上記（２）では大組を問題にしたが、当該紙面内の小組についても同様の問題がある。
【０００９】
（４）校閲完了状態の紙面の大組や小組に対して操作を禁止するような対策を講じることは容易に実現できるが、実際のレイアウト状態が参照できないので運用上不便であるという問題がある。
【００１０】
（５）版制の紙面の場合には、当該版の紙面データが変更されるトラブルを防止するために、当該紙面の次の版の紙面作成作業を、降版出力が終わるまで待たねばならず、作業能率が低下するという問題がある。
【００１１】
本発明はこのような事情に鑑みてなされたものであり、紙面の大組または小組操作の開始指示時に、当該紙面が校閲完了の状態の場合には当該紙面の紙面データの複製を作成し、この複製された紙面データの大組または小組に対するレイアウト操作を可能とすることによって、版制紙面の次の版の紙面作成作業に早急に着手することが可能な新聞紙面の制作システム、その制作方法、およびその制作用プログラムを提供することにある。
【００１５】
【課題を解決するための手段】
上記の目的を達成するために、本発明では、以下のような手段を講じる。
【００２０】
すなわち、本発明は、上記目的を達成するために、版制のある各新聞紙面に掲載する少なくとも記事、画像、写真からなる複数の要素を管理するとともに、前記管理されている各要素をそれぞれ読み出して各紙面上に配置することによって、少なくとも掲載年月日、面名、及び版名を含む紙面データを作成し、前記作成された紙面データを降版し、新聞紙面を制作する新聞紙面の制作システム、制作方法、及び制作用プログラムである。本発明では、作成された紙面データのうち、紙面上の各要素の配置が確定した紙面データを確定済紙面データとして指定する。また、何れかの紙面データの紙面全体またはその一部の配置操作開始指示がなされた場合に、前記配置操作開始指示がなされた紙面データが前記確定済紙面データとして指定されている場合には、この紙面データを前記確定済紙面データとして指定されていない紙面データとして複製し、前記複製された紙面データの掲載年月日、面名、及び版名を別名に変更する。更に、次の版の新聞紙面のために、前記複製手段によって複製された紙面データに対し、紙面全体またはその一部の配置操作を行う。
【００２１】
従って、以上のような手段を講じることにより、当該紙面データの次の版の紙面データの作成作業を、当該紙面データの降版出力が終わるまで待つことなく開始でき、しかも前の版の紙面データが変更されるようなトラブルを防止することができるので作業能率を向上することが可能となる。
【００２４】
【発明の実施の形態】
以下に、本発明の各実施の形態について図面を参照しながら説明する。
【００２５】
（第１の実施の形態）
本発明の第１の実施の形態を図１から図６を用いて説明する。
【００２６】
図１は、第１の実施の形態に係る新聞紙面の制作方法を適用した新聞紙面制作システムの一例を示す機能ブロック図である。
【００２７】
本実施の形態に係る新聞紙面制作システムは、例えば磁気ディスク等の記憶媒体に記憶されたプログラムを読み込み、このプログラムによって動作が制御されるコンピュータによって実現されるものであって、記事入力／校正端末１と、記事サーバ２と、画像入力／加工端末３と、画像サーバ４と、組版端末５と、組版編集サーバ６と、紙面データファイル格納部７と、工程管理端末８と、出力サーバ９と、プリンタ／プロッタ１０とを備えている。
【００２８】
記事入力／校正端末１は、記事の入力および校正を行うための端末であり、オペレータから記事情報の入力を受け付け、記事サーバ２に出力する。また、記事サーバ２に蓄積されている記事情報を取得して、その記事情報に基づく校正入力をオペレータから受け付け、校正された記事情報を記事サーバ２に再び出力する。
【００２９】
記事サーバ２は、記事入力／校正端末１から入力された記事情報、または、図示しない通信回線を経由して通信社などから入力された記事情報を受信し、蓄積する。また、記事入力／校正端末１からの校正要求により、蓄積している記事情報の中から、要求のあった記事情報を記事入力／校正端末１に出力する。更に、オペレータの指示などに従って、蓄積している記事情報を組版編集サーバ６に出力する。
【００３０】
画像入力／加工端末３は、画像データの入力および画像データの加工を行うための端末であり、スキャナやディスプレイ等を備えている。このような画像入力／加工端末３は、オペレータから画像データの入力を受け付け、入力された画像データを画像サーバ４に出力する。また、オペレータから入力された画像データの加工操作入力に基づいて画像データの加工を行い、加工した画像データを画像サーバ４に出力する。なお、画像データを加工する場合には、画像入力／加工端末３に入力されている画像データを直接加工することも、また、画像サーバ４に蓄積されている画像データから所定の画像データを取得し、その画像データを加工することのいずれも可能としている。
【００３１】
画像サーバ４は、画像入力／加工端末３から出力された画像データを取得し、蓄積する。また、画像入力／加工端末３からの要求により、蓄積している画像データの中から、要求のあった画像データを画像入力／加工端末３に出力する。更に、オペレータの指示などに従って、蓄積している画像データを組版編集サーバ６に出力する。
【００３２】
組版端末５は、例えばワークステーションやパーソナルコンピュータで構成されており、オペレータによる記事、画像、および見出しの配置（割付）操作の入力を受け付け、配置の終了した紙面の領域を配置領域データとして組版編集サーバ６に出力する端末であり、更に図２に示すように、レイアウト処理部１５を備えている。このレイアウト処理部１５は、図３のフローチャートに示すように動作し、入力された紙面レイアウト確定コマンドに基づいて作業中紙面データファイル１８の確定処理を行い、確定した作業中紙面データファイル１８を組版編集サーバ６に出力する。なお、図４は、作業中紙面データファイル１８の一例を示すデータ構成図である。
【００３３】
組版編集サーバ６は、組版端末５からの要求に対して、記事や画像を組版端末５に送信する。そして、組版端末５のレイアウト処理部１５によって確定処理された作業中紙面データファイル１８を紙面データファイル格納部７に出力し、紙面データファイル１３として蓄積させる。また、組版編集サーバ６は、図２に示すように、出力編集部１２を備えている。この出力編集部１２は、後述するように工程管理端末８側から紙面データファイル１３の降版要求が送信されると、この降版要求を受信する。そして、受信した降版要求に基づいて、対象の紙面データファイル１３を紙面データファイル格納部７から読み出して出力データを作成し、作成した出力データを出力サーバ９に出力する。
【００３４】
紙面データファイル格納部７は、組版端末５によって編集処理された作業中紙面データファイル１８を、組版編集サーバ６を介して取得し、紙面データファイル１３として蓄積するとともに、蓄積している紙面データファイル１３（＃１，＃２，・・・）を、組版編集サーバ６からの要求に基づいて適宜組版編集サーバ６に出力する。なお、図５は、紙面データファイル１３の一例を示すデータ構成図である。
【００３５】
工程管理端末８は、図２に示すようにコマンド受付処理部１７を備えており、オペレータによって、このコマンド受付処理部１７を介して紙面降版指示が入力されると、図６のフローチャートに示すように動作し、紙面データファイル格納部７内に格納されている該当紙面データファイル１３を読込み、紙面レイアウト確定フラグ１３Ｌの内容に基づいて降版指示の受付の可否を行う。該当紙面の紙面レイアウト確定フラグ１３Ｌが「確定」の場合、出力編集部１２に対して降版要求を送る。
【００３６】
出力サーバ９は、組版端末５からの大刷／版下出力指示にしたがって、指示された紙面データファイル１３をドットデータに展開してプリンタ／プロッタ１０に出力する。
【００３７】
プリンタ／プロッタ１０は、出力サーバ９からドットデータを取得し、取得したドットデータに基づいて大刷や版下を出力する。
【００３８】
次に、以上のように構成した本実施の形態に係る新聞紙面の制作方法を適用した新聞紙面制作システムの動作について説明する。
【００３９】
まず、図３のフローチャートを用いて、レイアウト処理部１５によってなされる紙面データファイル１３の確定処理の動作について説明する。
【００４０】
まず、ステップＳ１では、レイアウト処理部１５を介してオペレータによって紙面レイアウト確定コマンドが入力されたか否かが確認される。紙面レイアウト確定コマンドが入力された場合（Ｓ１：Ｙｅｓ）にはステップＳ２の処理が行われ、そうでない場合（Ｓ１：Ｎｏ）にはステップＳ４の処理が行われる。
【００４１】
ステップＳ２では、図４にそのデータ構成例を示す作業中紙面データファイル１８の紙面レイアウト確定フラグ１８Ｌが「確定」とされる。
【００４２】
ステップＳ３では、作業中紙面データファイル１８が組版端末５から組版編集サーバ６に出力され、更に紙面データファイル格納部７内の該当する紙面データファイル１３が更新される。例えば、紙面＃１が対象であれば紙面＃１の紙面データファイル１３（＃１）が更新され、紙面データファイル１３の確定処理を終了する。
【００４３】
ステップＳ４では、既存のレイアウト処理が実行された後に紙面データファイル１３の確定処理を終了する。
【００４４】
次に、図６のフローチャートを用いて、コマンド受付処理部１７によってなされる紙面データファイル１３の降版処理の動作について説明する。
【００４５】
紙面データファイル格納部７に格納されている何れかの紙面データファイル１３の降版処理を行う場合には、まず、ステップＳ１１において、コマンド受付処理部１７を介してオペレータによって入力されたコマンドが降版指示である場合（Ｓ１１：Ｙｅｓ）にはステップＳ１２の処理が行われ、そうでない場合（Ｓ１１：Ｎｏ）にはステップＳ１５の処理が行われる。
【００４６】
ステップＳ１２では、対象紙面の紙面データファイル１３が組版編集サーバ６を介して紙面データファイル格納部７から読み込まれる。そして、図５にそのデータ構成の一例を示すような紙面レイアウト確定フラグ１３Ｌの内容が確認される。例えば、対象紙面が紙面＃１である場合、紙面データファイル格納部７から紙面＃１の紙面データファイル１３（＃１）が読み込まれ、この紙面データファイル１３（＃１）の紙面レイアウト確定フラグ１３Ｌが確認される。
【００４７】
ステップＳ１３では、対象紙面のレイアウトが確定したレイアウトであるか否かが以下のようにして確認される。例えば、対象紙面が紙面＃１である場合、紙面レイアウト確定フラグ１３Ｌが「確定」である場合（Ｓ１３：Ｙｅｓ）にはステップＳ１４の処理が行われ、そうでない場合（Ｓ１３：Ｎｏ）にはステップＳ１５の処理が行われる。
【００４８】
ステップＳ１４では、組版編集サーバ６に降版処理要求が出力され、指定された紙面データファイル１３が出力編集部１２から出力サーバ９に出力されることによって降版処理を終了する。
【００４９】
ステップＳ１５では、既存のコマンド処理がなされる。
【００５０】
ステップＳ１６では、受付条件エラーを意味するメッセージが工程管理端末８側に出力され表示される。すなわち、この紙面データファイル１３は、ステップＳ１１においてオペレータによって降版指示がなされたが、この紙面データファイル１３は未確定のものであり、紙面レイアウト確定フラグ１３Ｌが「確定」ではないために、降版処理がなされない。このようにして、紙面レイアウトの確定がなされていない紙面データファイル１３は、オペレータによって降版指示がなされた場合であっても、降版処理が行われない。
【００５１】
なお、本実施の形態に説明した新聞紙面制作システムは、記憶媒体に格納したプログラムをコンピュータに読み込ませることで実現させることができる。
【００５２】
ここで本発明における記憶媒体としては、磁気ディスク、フロッピー(登録商標)ディスク、ハードディスク、光ディスク（ＣＤ−ＲＯＭ、ＤＶＤ等）、光磁気ディスク（ＭＯ等）、半導体メモリ等、プログラムを記憶でき、かつコンピュータが読み取り可能な記憶媒体であれば、その記憶形式は何れの形態であってもよい。
【００５３】
また、記憶媒体からコンピュータにインストールされたプログラムの指示に基づきコンピュータ上で稼働しているＯＳ（オペレーティングシステム）や、データベース管理ソフト、ネットワークソフト等のＭＷ（ミドルウェア）等が本実施形態を実現するための各処理の一部を実行してもよい。
【００５４】
さらに、本発明における記憶媒体は、コンピュータと独立した媒体に限らず、ＬＡＮやインターネット等により伝送されたプログラムをダウンロードして記憶又は一時記憶した記憶媒体も含まれる。
【００５５】
また、記憶媒体は１つに限らず、複数の媒体から本実施の形態における処理が実行される場合も本発明における記憶媒体に含まれ、媒体構成は何らの構成であってもよい。
【００５６】
なお、本発明におけるコンピュータは、記憶媒体に記憶されたプログラムに基づき、本実施の形態における各処理を実行するものであって、パソコン等の１つからなる装置、複数の装置がネットワーク接続されたシステム等の何れの構成であってもよい。
【００５７】
また、本発明におけるコンピュータとは、パソコンに限らず、情報処理機器に含まれる演算処理装置、マイコン等も含み、プログラムによって本発明の機能を実現することが可能な機器、装置を総称している。
【００５９】
上述したように、本実施の形態に係る新聞紙面の制作方法を適用した新聞紙面制作システムにおいては、上記のような作用により、紙面データが確定済紙面データとして指定されていない限り、降版指示をしても受け付けられないので、校閲未完了状態であって紙面レイアウトが確定していない紙面データを誤って降版してしまうようなトラブルを防止することが可能となる。
【００６０】
（第２の実施の形態）
本発明の第２の実施の形態を図７から図９を用いて説明する。
【００６１】
第２の実施の形態に係る新聞紙面の制作方法を適用した新聞紙面制作システムの構成は、第１の実施の形態に係る新聞紙面の制作方法を適用した新聞紙面制作システムと比べて、組版端末５の構成が異なるのみである。したがって、ここでは、第１の実施の形態で説明した部分と同一部分については同一符号を付してその説明を省略し、異なる部分についてのみ述べる。
【００６２】
図７は、本実施の形態に係る新聞紙面の制作方法を適用した新聞紙面制作システムの要部機能ブロック図である。
【００６３】
すなわち、本実施の形態に係る新聞紙面制作システムは、図２に示す第１の実施の形態に係る新聞制作システムの組版端末５に、紙面変更コマンド判別テーブル２０を付加した構成としている。
【００６４】
紙面変更コマンド判別テーブル２０は、オペレータによって、コマンド受付処理部１７に入力された各コマンドが紙面データファイル１３の変更を伴うものかどうかを識別するためのデータを書き込むデータテーブルである。図８は、紙面変更コマンド判別テーブル２０の一例を示すデータ構成図である。
【００６５】
レイアウト処理部１５は、この紙面変更コマンド判別テーブル２０に書き込まれたデータに基づいて、図９のフローチャートにしたがって動作し、紙面レイアウトが未確定の紙面データファイル１３については、紙面レイアウトの変更を許可するが、紙面レイアウトが確定した紙面データファイル１３については、紙面レイアウトの変更を許可しないようにしている。
【００６６】
次に、以上のように構成した本実施の形態に係る新聞紙面の制作方法を適用した新聞紙面制作システムの動作について、図９に示すフローチャートを用いて説明する。
【００６７】
まず、ステップＳ２１では、レイアウト処理部１５によって、作業中紙面データファイル１８の紙面レイアウト確定フラグ１８Ｌが確認される。そして、紙面レイアウト確定フラグ１８Ｌが「確定」である場合（Ｓ２１：Ｙｅｓ）にはステップＳ２２の処理が行われ、紙面レイアウト確定フラグ１８Ｌが「確定」でない場合（Ｓ２１：Ｎｏ）にはステップＳ２５の処理が行われる。
【００６８】
ステップＳ２２では、紙面変更コマンド判別テーブル２０が参照され、コマンド受付処理部１７から入力された指定コマンドが、紙面変更コマンドか否かが確認される。これは以下のようにして行われる。すなわち、図８に示すように、紙面変更コマンド判別テーブル２０の第１レコード２０１、第２レコード２０２が順次調べられ、コマンド名２０ｉＣＭ（ｉ＝１，２）が指定コマンドと一致するレコードが探索される。例えば、指定コマンドが第２レコード２０２のコマンド名２０２ＣＭと一致した場合、第２レコード２０２のコマンド識別２０２ＫＢが「変更有」であるか、あるいは「変更無」であるかが確認される。
【００６９】
そして、コマンド受付処理部１７から入力された指定コマンドが、紙面変更コマンドであるものと確認された場合（Ｓ２３：Ｙｅｓ）には、ステップＳ２４の処理が行われ、そうでない場合（Ｓ２３：Ｎｏ）には、ステップＳ２５の処理が行われる。
【００７０】
ステップＳ２４では、該作業中紙面データファイル１８は、紙面レイアウト確定状態のために、紙面変更コマンドは受け付けられないことを意味するメッセージが表示され、処理を終了する。なお、該作業中紙面データを参照することは可能である。
【００７１】
ステップＳ２５では、該作業中紙面データに対して既存のレイアウト処理が行われ、しかる後に処理を終了する。
【００７３】
上述したように、本実施の形態に係る新聞紙面の制作方法を適用した新聞紙面制作システムにおいては、上記のような作用により、紙面レイアウトが未確定の紙面データファイル１３については、紙面レイアウトの変更が許可されるが、紙面レイアウトが確定した紙面データファイル１３については、紙面レイアウトの変更が許可されない。ただし、紙面レイアウトが確定した紙面データファイル１３であっても、紙面レイアウトを参照することは可能である。
【００７４】
したがって、確定紙面のレイアウトを次の版の準備作業などのために誤って変更してしまうようなトラブルを阻止することが可能となる。
【００７５】
（第３の実施の形態）
本発明の第３の実施の形態を図１０および図１１を用いて説明する。
【００７６】
第３の実施の形態に係る新聞紙面の制作方法を適用した新聞紙面制作システムの構成は、第１の実施の形態に係る新聞紙面の制作方法を適用した新聞紙面制作システムにレイアウト複製処理部２１を付加した構成としており、その他の構成については同一である。したがって、ここでは、第１の実施の形態で説明した部分と同一部分については同一符号を付してその説明を省略し、異なる部分についてのみ述べる。
【００７７】
図１０は、本実施の形態に係る新聞紙面の制作方法を適用した新聞紙面制作システムの要部機能ブロック図である。
【００７８】
すなわち、本実施の形態に係る新聞紙面制作システムは、図２に示す第１の実施の形態に係る新聞制作システムにレイアウト複製処理部２１を付加した構成としている。
【００７９】
レイアウト複製処理部２１は、図１１のフローチャートにしたがって動作し、該当紙面が紙面レイアウト確定状態の場合に、該当紙面と同じ内容の別紙面を複製し、複製した紙面に対するレイアウト操作を可能とするものである。
【００８０】
次に、以上のように構成した本実施の形態に係る新聞紙面の制作方法を適用した新聞紙面制作システムの動作について、図１１に示すフローチャートを用いて説明する。
【００８１】
組版端末５からオペレータによってコマンドが入力されると、レイアウト複製処理部２１によって、入力されたコマンドが大組開始または小組開始であるかが確認される（Ｓ３１）。そして、入力されたコマンドが大組開始または小組開始である場合（Ｓ３１：Ｙｅｓ）にはステップＳ３２の処理が行われ、大組開始または小組開始のいずれでもない場合（Ｓ３１：Ｎｏ）にはステップＳ３７の処理が行われる。
【００８２】
ステップＳ３２では、組版編集サーバ６を介して紙面データファイル格納部７に格納されている対象紙面の紙面データファイル１３がレイアウト複製処理部２１に読み込まれる。例えば、紙面＃１が対象であれば、紙面データファイル格納部７に格納されている紙面＃１の紙面データファイル１３（＃１）が、作業中紙面データファイル１８として読み込まれる。
【００８３】
ステップＳ３３では、レイアウト複製処理部２１によって、作業中紙面データファイル１８の紙面レイアウト確定フラグ１８Ｌが「確定」であるか否かが確認され、紙面レイアウト確定フラグ１８Ｌが「確定」である場合（Ｓ３３：Ｙｅｓ）にはステップＳ３４の処理が行われ、そうでない場合（Ｓ３３：Ｎｏ）にはステップＳ３７の処理が行われる。
【００８４】
ステップＳ３４では、レイアウト複製処理部２１によって、作業中紙面データファイル１８の掲載年月日１８Ｋ、面名１８Ｍ、版名１８Ｈが別名とされる。なお、別名とする方法は自動または手動のどちらでもよい。オペレータが手動で行う場合には、オペレータの指定した掲載年月日、面名、版名をそれぞれ掲載年月日１８Ｋ、面名１８Ｍ、版名１８Ｈとして入力するようにしても良い。
【００８５】
ステップＳ３５では、レイアウト複製処理部２１によって、作業中紙面データファイル１８の紙面レイアウト確定フラグ１８Ｌが「未確定」とされる。
【００８６】
ステップＳ３６では、レイアウト複製処理部２１によって、作業中紙面データファイル１８が、紙面データファイル格納部７に新たな紙面データファイル１３として新規登録される。このステップＳ３４からステップＳ３６までの一連の処理によって紙面データファイル１３の複製がなされる。
【００８７】
ステップＳ３７では、レイアウト複製処理部２１によって複製された紙面データファイル１３を対象に、レイアウト処理がなされる。
【００８８】
なお、請求項でいう指定手段、複製手段、操作手段は、本実施の形態においてそれぞれレイアウト処理部１５、レイアウト複製処理部２１、レイアウト複製処理部２１にそれぞれ相当する。
【００８９】
上述したように、本実施の形態に係る新聞紙面の制作方法を適用した新聞紙面制作システムにおいては、上記のような作用により、大組または小組の開始指示時に、対象紙面のレイアウトが確定されている場合には、この紙面に対応する紙面データファイル１３を複製し、この複製された紙面データファイル１３を対象として大組または小組に対するレイアウト操作を行うことができる。
【００９０】
したがって、版制のある紙面であっても、紙面データファイル１３の複製に基づいてレイアウト操作をすることによって、早期に紙面作成作業に着手することができ、紙面作成に係る作業効率を向上することが可能となる。
【００９１】
（第４の実施の形態）
本発明の第４の実施の形態を図１２および図１３を用いて説明する。
【００９２】
第４の実施の形態に係る新聞紙面の制作方法を適用した新聞紙面制作システムの構成は、第１の実施の形態に係る新聞紙面の制作方法を適用した新聞紙面制作システムの作業中紙面データファイル１８を省略し、レイアウト変更処理部２２を付加した構成としており、その他の構成については同一である。したがって、ここでは、第１の実施の形態で説明した部分と同一部分については同一符号を付してその説明を省略し、異なる部分についてのみ述べる。
【００９３】
図１２は、本実施の形態に係る新聞紙面の制作方法を適用した新聞紙面制作システムの要部機能ブロック図である。
【００９４】
すなわち、本実施の形態に係る新聞紙面制作システムは、第１の実施の形態に係る新聞紙面の制作方法を適用した新聞紙面制作システムの作業中紙面データファイル１８を省略し、組版端末５にレイアウト変更処理部２２を付加した構成としている。このレイアウト変更処理部２２は、図１３のフローチャートにしたがって動作し、該当紙面の大組開始または小組開始時に紙面レイアウト確定解除指定がある場合には、紙面データファイル格納部７内の該当紙面の紙面データファイル１３の紙面レイアウト確定フラグ１３Ｌを「未確定」にし、該当紙面に対する工程管理端末８から降版指示を受け付けないようにしている。
【００９５】
次に、以上のように構成した本実施の形態に係る新聞紙面の制作方法を適用した新聞紙面制作システムの動作について、図１３に示すフローチャートを用いて説明する。
【００９６】
組版端末５からオペレータによってコマンドが入力されると、レイアウト変更処理部２２によって、入力されたコマンドが大組開始または小組開始であるかが確認される（Ｓ４１）。そして、入力されたコマンドが大組開始または小組開始である場合（Ｓ４１：Ｙｅｓ）にはステップＳ４２の処理が行われ、大組開始または小組開始のいずれでもない場合（Ｓ４１：Ｎｏ）にはステップＳ４５の処理が行われる。
【００９７】
ステップＳ４２では、レイアウト変更処理部２２によって、大組開始または小組開始コマンドに、紙面レイアウト確定解除の指示があるか否かが確認され、紙面レイアウト確定解除の指示がある場合（Ｓ４２：Ｙｅｓ）にはステップＳ４３の処理が行われ、無い場合（Ｓ４２：Ｎｏ）にはステップＳ４５の処理が行われる。
【００９８】
ステップＳ４３では、レイアウト変更処理部２２によって、紙面データファイル格納部７内の対象紙面データファイル１３の紙面レイアウト確定フラグ１３Ｌが読み込まれる。そして、読み込まれた紙面レイアウト確定フラグ１３Ｌが「確定」の場合（Ｓ４３：Ｙｅｓ）にはステップＳ４４の処理が行われ、そうでない場合（Ｓ４３：Ｎｏ）にはステップＳ４５の処理が行われる。
【００９９】
ステップＳ４４では、レイアウト変更処理部２２によって、紙面データファイル格納部７に格納されている紙面データファイル１３の紙面レイアウト確定フラグ１３Ｌが「未確定」とされる。
【０１００】
ステップＳ４５では、レイアウト変更処理部２２によって既存のレイアウト処理がなされる。
【０１０１】
上述したように、本実施の形態に係る新聞紙面の制作方法を適用した新聞紙面制作システムにおいては、一旦紙面レイアウトが確定されていた紙面データファイル１３の紙面レイアウト確定フラグ１３Ｌが「確定」から「未確定」に変更され、この紙面データファイル１３を対象としたレイアウト処理を再び行うことができる。また、このように紙面レイアウト確定フラグ１３Ｌが「未確定」とされることによって、降版処理が行われなくなるので、レイアウト処理中の紙面データファイル１３を誤って降版することを阻止することができる。
【０１０３】
以上、本発明の好適な実施の形態について、添付図面を参照しながら説明したが、本発明はかかる構成に限定されない。特許請求の範囲の発明された技術的思想の範疇において、当業者であれば、各種の変更例及び修正例に想到し得るものであり、それら変更例及び修正例についても本発明の技術的範囲に属するものと了解される。
【０１０４】
【発明の効果】
以上説明したように、本発明の新聞紙面の制作システム、その制作方法、およびその制作用プログラムによれば、紙面の大組または小組操作の開始指示時に、当該紙面が校閲完了の状態の場合には当該紙面の紙面データの複製を作成し、この複製された紙面データの大組または小組に対するレイアウト操作を行うことができるので、版制紙面の次の版の紙面作成作業に早急に着手することができ、版制紙面の作成時における作業効率を向上することが可能となる。
【図面の簡単な説明】
【図１】第１の実施の形態に係る新聞紙面の制作方法を適用した新聞紙面制作システムの一例を示す機能ブロック図
【図２】第１の実施の形態に係る新聞紙面の制作方法を適用した新聞紙面制作システムの要部機能ブロック図
【図３】紙面データファイルの確定処理の動作を示すフローチャート
【図４】作業中紙面データファイルの一例を示すデータ構成図
【図５】紙面データファイルの一例を示すデータ構成図
【図６】紙面データファイルの降版処理の動作を示すフローチャート
【図７】第２の実施の形態に係る新聞紙面の制作方法を適用した新聞紙面制作システムの要部機能ブロック図
【図８】紙面変更コマンド判別テーブルの一例を示すデータ構成図
【図９】第２の実施の形態に係る新聞紙面の制作方法を適用した新聞紙面制作システムの動作を示すフローチャート
【図１０】第３の実施の形態に係る新聞紙面の制作方法を適用した新聞紙面制作システムの要部機能ブロック図
【図１１】第３の実施の形態に係る新聞紙面の制作方法を適用した新聞紙面制作システムの動作を示すフローチャート
【図１２】第４の実施の形態に係る新聞紙面の制作方法を適用した新聞紙面制作システムの要部機能ブロック図
【図１３】第４の実施の形態に係る新聞紙面の制作方法を適用した新聞紙面制作システムの動作を示すフローチャート
【符号の説明】
１…記事入力／校正端末
２…記事サーバ
３…画像入力／加工端末
４…画像サーバ
５…組版端末
６…組版編集サーバ
７…紙面データファイル格納部
８…工程管理端末
９…出力サーバ
１０…プリンタ／プロッタ
１２…出力編集部
１３…紙面データファイル
１５…レイアウト処理部
１７…コマンド受付処理部
１８…作業中紙面データファイル
２０…紙面変更コマンド判別テーブル
２１…レイアウト複製処理部
２２…レイアウト変更処理部
【図１】
0003940567.tif 000002
【図２】
0003940567.tif 000003
【図３】
0003940567.tif 000004
【図４】
0003940567.tif 000005
【図５】
0003940567.tif 000006
【図６】
0003940567.tif 000007
【図７】
0003940567.tif 000008
【図８】
0003940567.tif 000009
【図９】
0003940567.tif 000010
【図１０】
0003940567.tif 000011
【図１１】
0003940567.tif 000012
【図１２】
0003940567.tif 000013
【図１３】
0003940567.tif 000014